(57)【要約】【課題】下方を開放した略箱状の本体ケースと、本体ケースの対向する二側板に設けた止具と、本体ケースの下端に鍔状に設けた取付枠と、を具備し、天井等に開口した取付孔に本体ケースを挿入して、止具と取付枠とにより天井材等の上下面を挟み抑えつけて、本体ケースを天井材等に固定する埋込型照明器具において、器具の上下幅を変更することなく、室内外の空気流通の遮断性を高めるよう構成された埋込型照明器具の取り付け構造を提供することを目的とする。【解決手段】本体ケース２の止具５を設けない他の対向する二側板８ａ・８ｂに、補助止具４・４を設ける。【選択図】図１
2006310193.tif 000002
【特許請求の範囲】
【請求項１】
下方を開放した略箱状の本体ケースと、
該本体ケースの対向する二側板に設けた止具と、
前記本体ケースの下端に鍔状に設けた取付枠と、を具備し、
天井等に開口した取付孔に前記本体ケースを挿入して、前記止具と前記取付枠とにより天井材等の上下面を挟み抑えつけて、前記本体ケースを前記天井材等に固定する埋込型照明器具において、
前記本体ケースの前記止具を設けない他の対向する二側板に、補助止具を設けたことを特徴とする埋込型照明器具の取り付け構造。
【請求項２】
前記取付枠の前記天井材等と接触する部分にシール部材を設けた、請求項１に記載の埋込型照明器具の取り付け構造。
【請求項３】
前記埋込型照明器具は、前記本体ケースに取り付ける密閉蓋状のセードを具備するものであって、
該セードは、前記取付枠にかぶせるセード枠を有し、
前記取付枠又は前記セード枠の少なくとも一方に、前記セード枠と前記天井材等との間隙を介した室内外の空気流通を妨げるシール部材を設けた、請求項１に記載の埋込型照明器具の取り付け構造。
【発明の詳細な説明】
【技術分野】
【０００１】
本発明は、埋込型照明器具の取り付け構造に関する。
【背景技術】
【０００２】
従来、天井等に設けた取付孔に本体ケースをはめ込み、スライド金具等の止具を用いて本体ケースを天井材等に直接固定するタイプの埋込型照明器具が使用されている。このようなタイプの照明器具は、天井等に設けた取付孔に本体ケースをはめ込み、止具と、本体ケースの取付枠とで天井材等を挟み抑えつけることにより、該天井材等に固定支持される。
【０００３】
従来技術による埋込型照明器具の例として、蛍光灯を使用する角型のインバーター式天井照明器具１００の構成について説明する。
図６に従来型の照明器具１００の全体構成を示す。照明器具１００の本体ケース２は、底面視において略正方形状の箱型である。下端面は開口しており、該開口の周縁に沿って、天井への取付枠３が設けられている。
【０００４】
照明器具１００は、インバーター回路等の機器を収納する回路ボックス１０を備える。回路ボックス１０は本体ケース２に対して大きな構造物となるので、回路ボックス１０を本体ケース２の内部に配置することはできない。一方、照明器具１００は住宅等の狭い天井裏に突出させて設置される場合が多いので、できるだけ上下幅を抑えることが要求されている。したがって、回路ボックス１０を本体ケース２の上部に配置することは望ましくない。
そこで、本体ケース２の一側板８ｂをひな壇状に形成して、該側板８ｂの略上半部に、水平方向端部間にわたって段部９ｂを設け、該段部９ｂに回路ボックス１０を配置している。回路ボックス１０の略半分の部分は段部９ｂに載って支持されており、残りの部分は本体ケース２の外側方に突出している。
【０００５】
さらに、回路ボックス１０が障害になっても本体ケース２を天井の取付孔にはめることができるように、側板８ｂと対向する側板８ａには、段部９ａを設けている。これにより、天井の取付孔に本体ケース２をはめる際、回路ボックス１０の突出した側を先に挿入した後、側板８ａの側をはめることができる。
段部９ａは、本体ケース２を斜めにして回路ボックス１０側から先に取付孔に入れる際、側板８ａ側の本体ケース２部材が天井材２０に支えない程度の奥行きと高さをもって設けられている。
なお、回路ボックス１０を部分的に突出させて設けるのは、本体ケース２内において蛍光灯をできるだけ中央に広く配置するスペースを確保するためである。なお、図中において、蛍光灯、蛍光灯支持具、給電ソケット、及び給電線は省略している。
【０００６】
本例では、止具としてスライド金具５を用いている。
本体ケース２の四つの側板のうち、段部を水平方向端部間にわたって設けていない対向する二側板７・７には、それぞれ二箇所ずつ平行に、合計四箇所にスライド孔５ｃ・５ｃ・・・を設けている。スライド孔５ｃは、縦長スリット状の孔であり、その上端部は側板７の略上端部に位置するとともに、下端部は側板７の略下端部に位置する。また、後述のスライド金具５の外部材を挿し入れるため、上端部のみ横幅を広く構成して挿入部としている。
【０００７】
照明器具１００を取り付けるには、まず、本体ケース２の内側からスライド金具５・５・・・の外部材をスライド孔５ｃ・５ｃ・・・の上端に挿し入れて、スライド金具５・５・・・がスライド孔５ｃ・５ｃ・・・に沿ってスライドできる状態にしておく。それから、天井に設けた取付孔に本体ケース２をはめ込んで、下方から取付枠３を取付孔周縁部の天井材２０に当てる。そして、各スライド金具５をスライドさせて下ろし、上方から外部材の当接部を天井材２０に突き当てる。その状態で、スライド金具５の内部材のロックレバーを押すと、外部材の当接部が天井材２０を抑えつけると同時に、金具５は側板７にロックされる。
以上のようにして、四箇所のスライド金具５・５・・・と取付枠３とで天井材２０を挟み抑えつけることにより、照明器具１００は天井材２０に固定支持される。
【０００８】
また、照明器具１００の本体ケース２においては、側板７・７の内側にそれぞれ二箇所ずつ、合計四箇所に、密閉蓋状の下面セード１４を取り付けるためのバネ受け１５・１５・・・を設けている。該バネ受け１５・１５・・・に下面セード１４の取付バネ１６・１６・・・をはめ込んで下面セード１４を本体ケース２に固定する。
下面セード１４は縁部にセード枠１４ａを有する。下面セード１４は、セード枠１４ａを取付枠３にかぶせるように取り付けられる。セード枠１４ａの周縁には垂直部が形成されており、本体ケース２に下面セード１４を固定すると、該垂直部は取付枠３の側方を覆うとともに、取付バネ１６・１６・・・の付勢力によって該垂直部の上端は天井材２０に密着する。
【０００９】
なお、特許文献１に、スライド金具５のみを止具として用いる従来型の埋込型照明器具が提案されている。
【特許文献１】特開平１−２８９００８号公報
【発明の開示】
【発明が解決しようとする課題】
【００１０】
近年は住宅等においても、室内の保温性を高めるため、また、冷暖房効率を高めるため、できるだけ室内の気密性を高く保つことが要請されている。
【００１１】
ところで、上述した照明器具１００においては、段部を水平方向端部間にわたって設けていない二側板７・７にしかスライド孔５ｃを設けることができない。スライド孔５ｃには、想定される天井材の最大厚みに、スライド金具５自体がスライドするために必要な距離を加えた長さが最低限必要である。それに対して、上述のように、埋込型照明器具１００は上下幅を抑えて設計されるので、段部９ａ・９ｂを水平方向端部間にわたって設けた二側板８ａ・８ｂにはスライド孔５ｃを設けるのに必要な上下幅がないのである。
【００１２】
止具として一対の対向側板７・７にスライド金具５・５・・・を設けるだけでは、スライド金具５・５・・・を設けた側板７・７においては取付枠３を天井材２０に密着させて固定できるものの、止具のない側板８ａ・８ｂにおいては、照明器具１００の自重による本体ケース２の撓みのために、天井材２０と取付枠３との接触面に隙間が空くことがある。すると、その隙間を介して空気が流通するため、密閉性が損なわれる。また、取付枠３の撓みのために、天井材２０と下面セード１４のセード枠１４ａとの接触面にも隙間が空くことがある。すると、その隙間と、天井材２０と取付枠３との前記隙間、及び本体ケース２のスライド孔５ｃ・５ｃ・・・とを介して室内外の空気が流通する。以上のように、取付枠３の撓みのために室内外の空気が流通することにより、室内の保温性や冷暖房効率が損なわれるおそれがあった。
【００１３】
そこで、本発明においては、器具の上下幅を変更することなく、室内外の空気流通の遮断性を高めるよう構成された埋込型照明器具を提供することを目的とする。
【００１４】
また、従来型の照明器具１００においては、天井に取り付けるために止具（スライド金具５）を操作する際、本体ケース２を下から手で支えておかなければならず、特に高所での作業が困難であった。本発明においては、上記の気密性の課題を解決すると同時に、取り付け作業の容易化も図る。
【課題を解決するための手段】
【００１５】
本発明の解決しようとする課題は以上の如くであり、次にこの課題を解決するための手段を説明する。
【００１６】
すなわち、請求項１においては、下方を開放した略箱状の本体ケースと、該本体ケースの対向する二側板に設けた止具と、前記本体ケースの下端に鍔状に設けた取付枠と、を具備し、天井等に開口した取付孔に前記本体ケースを挿入して、前記止具と前記取付枠とにより天井材等の上下面を挟み抑えつけて、前記本体ケースを前記天井材等に固定する埋込型照明器具において、前記本体ケースの前記止具を設けない他の対向する二側板に、補助止具を設けたものである。
【００１７】
請求項２においては、前記取付枠の前記天井材等と接触する部分にシール部材を設けたものである。
【００１８】
請求項３においては、前記埋込型照明器具は、前記本体ケースに取り付ける密閉蓋状のセードを具備するものであって、該セードは、前記取付枠にかぶせるセード枠を有し、前記取付枠又は前記セード枠の少なくとも一方に、前記セード枠と前記天井材等との間隙を介した室内外の空気流通を妨げるシール部材を設けたものである。
【発明の効果】
【００１９】
本発明の効果として、以下に示すような効果を奏する。
【００２０】
請求項１においては、補助止具を用いた簡単な構成により、止具を設けていない側板において、取付枠を撓まないように天井材等に密着させて固定することができる。これにより、室内の気密性を保つことができる。
また、補助止具によって本体ケースを天井材等に仮止めをしてから止具を固定できるので、照明器具の取り付け作業を容易に行うことができる。
【００２１】
請求項２においては、シール部材を用いた簡単な構成により、取付枠と天井材等とをさらに確実に密着させて固定することができる。すなわち、室内の気密性をさらに確実に保つことができる。
【００２２】
請求項３においては、シール部材を用いた簡単な構成により、セード枠と天井材等との間隙を介した室内外の空気流通を妨げることができる。すなわち、室内の気密性をさらに確実に保つことができる。
【発明を実施するための最良の形態】
【００２３】
次に、発明の実施の形態を説明する。
図１は本発明に係る照明器具の全体的な構成を示した斜視図、図２は本発明に係る照明器具の底面図である。
図３は本発明に係る照明器具のスライド金具を設けた面を示す側面図、図４は本発明に係る照明器具の板バネを設けた面を示す側面図である。図５はパッキンの構成の詳細を示した断面図である。
図６は従来型の照明器具の全体的な構成を示した斜視図である。
【００２４】
本実施形態においては、図１〜５を参照しながら、上述した従来の天井埋込型照明器具１００に、本発明に係る技術を適用する例を示す。本実施形態に係る照明器具１は上述の照明器具１００とほぼ同一の構成であるので、共通の部材には同一の符号を付している。
【００２５】
まず、本実施形態に係る照明器具１の概略構成を説明する。
図１に示すように、照明器具１は略四角形状の角型照明器具である。
照明器具１は、下方を開放した略箱状の本体ケース２と、本体ケース２の対向する二側板７・７に設けた止具としてのスライド金具５・５・・・と、本体ケース２の下端に鍔状に設けた取付枠３と、を具備する。天井に開口した取付孔に本体ケース２を挿入して、スライド金具５・５・・・と取付枠３とにより天井材２０の上下面を挟み抑えつけて、本体ケース２を天井材２０に固定する。また、本体ケース２は、蛍光灯１２ａ・１２ｂ・１２ｃと回路ボックス１０等を備えている。さらに、照明器具１は、本体ケース２に取り付ける密閉蓋状の下面セード１４を具備する。以上の構成は、上述した従来の照明器具１００と同一の構成である。
【００２６】
本発明に係る照明器具１においては、さらに、本体ケース２のスライド金具５を設けない他の対向する二側板８ａ・８ｂに、補助止具として板バネ４・４を設けている。
【００２７】
また、照明器具１においては、下面セード１４は、取付枠３にかぶせるセード枠１４ａを有する。そして、取付枠３に、セード枠１４ａと天井材２０との間隙を介した室内外の空気流通を妨げるシール部材として、ゴム製等のパッキン６を設けている。
【００２８】
次に、照明器具１の構成を詳述する。
図１、２に示すように、従来の照明器具１００と同様、照明器具１の本体ケース２は底面視において略正方形状の箱型である。下端面は開口しており、該開口の周縁に沿って、天井への取付枠３が設けられている。
図２に示すように、本体ケース２の上端面内側には、蛍光灯支持具１１ａ・１１ｂ・１１ｃをそれぞれ三箇所ずつ設けている。また、給電ソケット１３ａ・１３ｂ・１３ｃを設けている。そして、蛍光灯支持具１１ａ・１１ｂ・１１ｃに三本の丸型蛍光灯１２ａ・１２ｂ・１２ｃをそれぞれ取り付け、各蛍光灯１２ａ・１２ｂ・１２ｃに給電ソケット１３ａ・１３ｂ・１３ｃを差し込む構成となっている。（図１においては、蛍光灯、蛍光灯支持具、給電ソケットを省略。）
【００２９】
図１に示すように、照明器具１においては、従来の照明器具１００と同様、側板８ｂに段部９ｂを設け、該段部９ｂに回路ボックス１０を配置している。そして、側板８ｂと対向する側板８ａに段部９ａを設けている。
【００３０】
また、本体ケース２の二側板７・７に、スライド金具５・５・・・を取り付けるためのスライド孔５ｃ・５ｃ・・・を設けている。
スライド金具５の概略構成について説明すると、図２に示すように、スライド金具５は、本体ケース２の外側をスライドする外部材５ａと、内側をスライドする内部材５ｂとを有する。そして、両部材５ａ・５ｂを連結部材にて連結している。外部材５ａと内部材５ｂの横幅は、挿入部以外のスライド孔５ｃの幅よりも大きく、一方、連結部材の横幅は挿入部以外のスライド孔５ｃの幅と略同じである。内部材５ｂは、スライド金具５を側板７に固定するためのロックレバーを有する。
【００３１】
また、照明器具１の本体ケース２においては、側板７・７の内側にそれぞれ二箇所ずつ、合計四箇所に、下面セード１４を取り付けるためのバネ受け１５・１５・・・を設けている。
【００３２】
次に、本発明を特徴づける板バネ４・４の構成について説明する。
本発明に係る照明器具１においては、図４（ａ）、（ｂ）に示すように、スライド金具５を設けていない二側板８ａ・８ｂに、補助止具として一対の板バネ４・４を設けている。板バネ４・４は、各側板８ａ・８ｂ外面の水平方向中央部の略下端部に設けられる。これにより、各側板８ａ・８ｂにおいて取付枠３を天井材２０に密着させ、室内の気密性を保つことができる。
板バネ４・４は板状の鉄片に次に説明する初期形状を与えたものである。図３において、板バネ４・４の初期形状を二点鎖線で示している。初期形状において、板バネ４・４は、側板８ａ・８ｂの板バネ取付部から、想定される天井材２０の最大板厚分に略相当する長さだけ斜め上方に延出して、略水平方向に屈曲している。この斜め上方への延伸部は板バネ４・４の天井材２０との当接部４ａを成している。該当接部４ａより先の水平延伸部の先端は下向きに屈曲して鉤状になっており、本体ケース２が取付孔から抜け落ちるのを防ぐ役割を果たす。
【００３３】
次に、照明器具１の取り付け手順を説明する。
まず、回路ボックス１０側（側板８ｂ側）の板バネ４を手で押さえて上方に曲げておきながら、本体ケース２を斜めにして、回路ボックス１０の突出部から先に天井の取付孔に入れる。これにより板バネ４の当接部４ａを側壁８ｂと天井材２０とに挟まれた状態にして、次に、対向する側板８ａ側の板バネ４を同様に手で押さえて上方に曲げておきながら、本体ケース２の側板８ａ側を持ち上げて取付孔に入れる。これにより、図３に示すように、本体ケース２は取付孔にはまり込む。それと同時に、板バネ４・４の当接部４ａは側板８ａ・８ｂと天井材２０とに挟み込まれた状態になる。なお、本体ケース２は板バネ４・４によって天井材２０に仮止めされた状態になっている。
【００３４】
次に、従来の照明器具１００と同様に、スライド金具５・５・・・によって、本体ケース２を天井材２０に固定する。詳述すると、図３に示すように、本体ケース２の内側から各スライド金具５の外部材５ａをスライド孔５ｃの上端に挿し入れて、各スライド金具５をスライドさせて下ろし、上方から外部材５ａの先端部を天井材２０に突き当てる。その状態で、スライド金具５の内部材５ｂのロックレバーを押すと、外部材５ａが天井材２０を押さえつけると同時に、金具５は側板７にロックされる。
以上のように、板バネ４・４とスライド金具５・５・・・により、天井材２０に取付枠３が密着した状態で、本体ケース２は天井材２０に固定支持される。
【００３５】
次に、蛍光灯１２ａ・１２ｂ・１２ｃを蛍光灯支持具１１ａ・１１ｂ・１１ｃに取り付け、最後に、バネ受け１５・１５・・・に取付バネ１６・１６・・・をはめ込むことにより、下面セード１４を本体ケース２に取り付ける。取付バネ１６・１６・・・の付勢力により、下面セード１４縁部のセード枠１４ａは、後述するパッキン６を介して本体ケース２の取付枠３の下面に密着する。
【００３６】
先述したように、従来の照明器具１００の場合、一対の対向側板７・７のスライド金具５・５・・・で本体ケース２を固定するだけでは、図４（ａ）、（ｂ）において二点鎖線で示すように、止具のない二側板８ａ・８ｂの取付枠３が撓み、取付枠３と天井材２０との接触面に隙間が空くことがあった。さらに、取付枠３とともにセード枠１４ａも撓み、セード枠１４ａと天井材２０との接触面にも隙間が空くことがあった。
それに対して、本発明に係る照明器具１においては、二側板８ａ・８ｂの中央部に設けた板バネ４・４の付勢力によって、本体ケース２が照明器具１の自重によって撓もうとするのを阻止して、取付枠３を天井材２０に密着させる。これにより、天井の取付孔を介した室内外の空気の流通が妨げられる。また、天井材２０とセード枠１４ａとの隙間も解消され、本体ケース２のスライド孔５ｃ・５ｃ・・・を介した室内外の空気の流通も妨げられる。したがって、室内の気密性を保つことができ、室内の保温性や冷暖房効率を損なわずにすむ。
以上のように、本発明に係る埋込型照明器具１においては、板バネ４・４を用いた簡単な構成によって、器具の上下幅を変更することなく、気密性維持の課題を達成している。
【００３７】
なお、本実施形態においては、板バネ４・４を二側板８ａ・８ｂの中央部に一箇所ずつ設ける構成を示したが、例えば、それぞれの側板に二箇所ずつ設けてもよい。このように、板バネ４の配置や個数は、必要とされる支持強度等に応じて任意に決めることができる。
また、本実施形態においては、補助止具として板バネ４・４を用いたが、他の手段を補助止具として用いることもできる。天井材２０に対して本体ケース２を持ち上げて支持する力を発生させる機能を有するならば、形状、材料等は限定されるものでない。
【００３８】
ところで、上述したように、板バネ４・４は、本体ケース２を天井に取り付ける際に、仮止具としての役割も果たす。本体ケース２を天井の取付孔にはめ込むと、それと同時に板バネ４・４が側板８ａ・８ｂと天井材２０との間にはまる。これにより、本体ケース２を天井に仮止めできている。このように、本体ケース２を仮止めしてからスライド金具５・５・・・のロック作業を行うことができるので、従来よりも器具の取り付け作業が容易になっている。
【００３９】
また、本実施形態に係る照明器具１においては、図５（ａ）に示すように、取付枠３の全周にわたって、該取付枠３の上面と下面とを挟み込むように、ゴム製等のパッキン６を設けている。すなわち、取付枠３は、パッキン６を介して天井材２０及び下面セード１４のセード枠１４ａと密着している（図では側板８ｂの面における断面を図示）。これにより、板バネ４・４による効果と相まって、取付枠３と天井部材２０との間の密閉性をさらに高めている。また、同時に、取付枠３とセード枠１４ａとの間の密閉性もさらに高めている。
【００４０】
なお、シール部材の構成は、本実施形態に係る構成に限られるものではない。取付枠３と天井材２０との隙間を介した空気の流通を妨げ、かつ、取付枠３とセード枠１４ａとの隙間を介した空気の流通を妨げる機能を有していればよい。たとえば、図５（ｂ）に示すように、セード枠１４ａのみに、天井材２０に密着するパッキン６ａを設けてもよい。また、図５（ｃ）に示すように、取付枠３の天井材２０と接触する部分にパッキン６ｂを設け、セード枠１４ａの取付枠３と接触する部分にパッキン６ｃを設けてもよい。以上の例や本実施形態のように、取付枠３又はセード枠１４ａの少なくとも一方に、セード枠１４ａと天井材２０との間隙を介した室内外の空気流通を妨げるシール部材を設ければよい。
【００４１】
また、本実施形態においては、止具としてスライド金具５を用いるために、本体ケース２にスライド孔５ｃを設ける必要があった。それに対して、本体ケースに孔を設ける必要のない止具を用い、その他にも本体ケースに室内外の空気流通路がない構成の埋込型照明器具においては、取付枠３の天井材２０等と接触する部分にのみシール部材を設ければよい。このような構成の埋込型照明器具においては、密閉蓋状のセードを取り付けず、本体ケース内部を室内に開放した構成とすることもできる。
【００４２】
また、本発明に係る技術は、本実施形態において説明したような天井取付型のものに限らず、壁取付型等の埋込型照明器具にも適用できる。
以上に本発明に係る照明器具の実施形態を示した。なお、本発明に係る照明器具は、上述した構成のものに限らず、本発明を特徴付ける思想に基づいて自由に構成することができることは当業者によって容易に理解できよう。
【産業上の利用可能性】
【００４３】
本発明に係る技術は、種々のタイプの埋込型照明器具に広く適用することができる。
【図面の簡単な説明】
【００４４】
【図１】本発明に係る照明器具の全体的な構成を示した斜視図。
【図２】本発明に係る照明器具の底面図。
【図３】本発明に係る照明器具のスライド金具を設けた面を示す側面図。
【図４】本発明に係る照明器具の板バネを設けた面を示す側面図。
【図５】パッキンの構成の詳細を示した断面図。
【図６】従来型の照明器具の全体的な構成を示した斜視図。
【符号の説明】
【００４５】
１    照明器具
２    本体ケース
３    取付枠
４    板バネ
５    スライド金具
６    パッキン
７・７    側板
８ａ・８ｂ    側板
９ａ・９ｂ    段部
１０    回路ボックス
１４    下面セード
１４ａ    セード枠
２０    天井材
【図１】
2006310193.tif 000003
【図２】
2006310193.tif 000004
【図３】
2006310193.tif 000005
【図４】
2006310193.tif 000006
【図５】
2006310193.tif 000007
【図６】
2006310193.tif 000008